(57)【要約】【課題】メカニカル演出装置の作動が斬新で趣向性が高い上、メカニカル演出装置の設置レイアウトの自由度が大きい実用的な遊技機を提供する。【解決手段】パチンコ機１の遊技盤４の盤面上には、大型遊技部材１１が設置されており、その大型遊技部材１１の上側の中央には、メカニカル演出装置３１が設置されている。当該メカニカル演出装置３１は、互いに上下動することによって開閉する上側開閉部材２２および下側開閉部材２３と、それらの上側開閉部材２２および下側開閉部材２３の後方に傾動可能に設けられた傾動部材２４と、上側開閉部材２２、下側開閉部材２３および傾動部材２４を同時に駆動可能なモータ２６とを有している。そして、パチンコ機１は、所定のタイミングで、メカニカル演出装置３１の上側開閉部材２２および下側開閉部材２３が開成して、通常は視認できない傾動部材２４が露出するとともに、その傾動部材２４が傾動するようになっている。【選択図】図３
2014036812.tif 000002
【特許請求の範囲】
【請求項１】
多数の障害釘および各種の入賞装置を設置してなる遊技盤が前面に設けられているとともに、その遊技盤面上に、駆動装置により所定のタイミングでメカニカルに作動することによって遊技を演出するメカニカル演出装置が設けられた遊技機であって、
前記メカニカル演出装置が、
互いに上下動することによって開閉する一対の開閉部材と、
それらの開閉部材の後方に傾動可能に設けられた傾動部材と、
一対の開閉部材と傾動部材とを駆動可能な駆動装置とを有するものであることを特徴とする遊技機。
【請求項２】
メカニカル演出装置が、傾動部材の後方に発光部材を設置したものであり、
一対の開閉部材が閉じた状態であっても、発光部材の光が傾動部材および開閉部材を透過して前方へ照射されることを特徴とする請求項１に記載の遊技機。
【発明の詳細な説明】
【技術分野】
【０００１】
本発明は、パチンコ機等の遊技機に関するものである。
【背景技術】
【０００２】
遊技機の一例であるパチンコ機として、図柄始動口に遊技球が入賞した場合に、図柄表示装置において、図柄の変動表示を実行するとともに、制御装置内で大当たり抽選を実施し、その大当たり抽選の結果、大当たりとなった場合に、図柄表示装置に所定の大当たり図柄（たとえば、「７，７，７」）を表示し、大当たり状態を生起させ、大入賞口の開閉扉を所定回数だけ断続的に開成させて、遊技者に多くの賞品球を払い出すもの（所謂、図柄合わせタイプのパチンコ機）が知られている。
【０００３】
また、そのような図柄合わせタイプのパチンコ機の中には、図柄表示装置の周囲等に、スライド、回転、伸縮等の機械的な（メカニカルな）動作を実行可能な演出装置（以下、メカニカル演出装置という）が設けられており、図柄表示装置において所定の態様（たとえば、所謂リーチ変動態様）で図柄の変動表示を実行する際に、所定のタイミングにおいて当該演出装置を作動させて、遊技者の大当たりへの期待感を高揚させるように構成されたものもある。かかるメカニカル演出装置としては、特許文献１の如く、平板状の可動体を、駆動装置の駆動によって、遊技盤面に対して平行な状態を保持させたまま、上下方向に移動させるものが知られている。
【先行技術文献】
【特許文献】
【０００４】
【特許文献１】特開２００９−１９５３４０号公報
【発明の概要】
【発明が解決しようとする課題】
【０００５】
しかしながら、上記特許文献１の如く可動体を遊技盤面に沿ってスライドさせるだけのパチンコ機は、メカニカル演出装置の動作内容が単純であり、すでに陳腐化したものとなっている。また、遊技盤面に沿って可動体をスライドさせるメカニカル演出装置を設置したパチンコ機においては、遊技者の興味を引くためには、可動体を大きくスライドさせる必要があるが、そのように可動体を大きくスライドさせるためには、遊技盤面上に大きなスペースを確保しなければならない。
【０００６】
本発明の目的は、上記従来のパチンコ機が有する問題点を解消し、メカニカル演出装置の作動が斬新で趣向性が高い上、メカニカル演出装置の設置レイアウトの自由度が大きい実用的な遊技機を提供することにある。
【課題を解決するための手段】
【０００７】
本発明の内、請求項１に記載された発明は、多数の障害釘および各種の入賞装置を設置してなる遊技盤が前面に設けられているとともに、その遊技盤面上に、駆動装置により所定のタイミングでメカニカルに作動することによって遊技を演出するメカニカル演出装置が設けられた遊技機であって、前記メカニカル演出装置が、互いに上下動することによって開閉する一対の開閉部材と、それらの開閉部材の後方に傾動可能に設けられた傾動部材と、一対の開閉部材と傾動部材とを（一緒に、同時にあるいは異なるタイミングで）駆動可能な駆動装置とを有するものであることを特徴とするものである。
【０００８】
請求項２に記載された発明は、請求項１に記載された発明において、メカニカル演出装置が、傾動部材の後方に発光部材を設置したものであり、一対の開閉部材が閉じた状態であっても、発光部材の光が傾動部材および開閉部材を透過して前方へ照射されることを特徴とするものである。
【発明の効果】
【０００９】
請求項１に記載の遊技機は、所定のタイミングで、メカニカル演出装置の開閉部材が開成して、通常は視認できない傾動部材が露出するとともに、その傾動部材が傾動するので、遊技の趣向性が高く、遊技者の遊技に対する意欲を長期間に亘って高く保持することができる。その上、単一の駆動装置によって、それらの開閉部材と傾動部材とが駆動されるため、コンパクトに構築することができるので、メカニカル演出装置の設置レイアウトの自由度が大きく、狭いスペースでもメカニカル演出装置を設置することができる。
【００１０】
請求項２に記載の遊技機は、所定のタイミング以外で、メカニカル演出装置の開閉部材が開成しない場合においても、発光部材を発光させることによって、閉じた状態の開閉部材を発光させることができる。したがって、請求項２に記載の遊技機によれば、メカニカル演出装置による演出内容を、非常に斬新でバラエティに富んだものとすることが可能となる。
【図面の簡単な説明】
【００１１】
【図１】パチンコ機の正面図である。
【図２】遊技盤の正面図である。
【図３】メカニカル演出装置の正面図である（ａは開閉部材を開成した状態であり、ｂは開閉部材を閉成した状態である）。
【図４】メカニカル演出装置の斜視図である（ａは左側方から見た斜視図であり、ｂは右側方から見た斜視図である）。
【図５】メカニカル演出装置の分解斜視図である。
【図６】メカニカル演出装置の作動状態を示す説明図である（ａは図２（ａ）におけるＡ−Ａ線断面図であり、ｂは図２（ｂ）におけるＢ−Ｂ線断面図である）。
【発明を実施するための形態】
【００１２】
＜遊技機の構成＞
以下、本発明に係る遊技機の一種としてのパチンコ機について、図面にしたがって詳細に説明する。図１は、本発明に係るパチンコ機を示したものであり、パチンコ機１は、周囲を覆う機枠２の片側縁に、前面枠３が、左端縁を中心として片開き自在に蝶着されている。当該前面枠３の下側には、遊技球を発射装置（図示せず）へ供給するための供給皿５と、遊技球を貯留させるための貯留皿６とが上下に併設されており、その貯留皿６の右側には、発射装置を操作するための発射ハンドル７が突設されている。また、前面枠３の中央よりやや上側には、平板状の遊技盤４が設置されており、その遊技盤４の前面には、透明なガラス板を嵌め込んだガラス扉１３が、左端縁を中心として片開き自在に蝶着されている（なお、図１においては、遊技盤４の盤面に設置された各種の部材の記載が省略されている）。
【００１３】
また、図２は、遊技盤４を示したものである。遊技盤４の表面には、金属製で帯状のガイドレール８が円弧状に立設されており、当該ガイドレール８によって、略円形の遊技領域１０が区画された状態になっている。遊技領域１０の中央には、大型遊技部材１１が設置されている。大型遊技部材１１は、中央に矩形の窓部２３が開口されており、その窓部２３から、後方に設置された図柄表示装置１９の液晶画面が露出した状態になっている。そして、当該大型遊技部材１１の上側の中央には、所定のタイミングでメカニカルに作動する（駆動装置によって機械的に作動する）メカニカル演出装置３１が設置されている。
【００１４】
また、大型遊技部材１１の右側には、大入賞装置１３が設けられている。当該大入賞装置１３は、内蔵された作動装置（図示せず）によって、扉体を片開き（下端縁を軸として片開き）させて、大入賞口内へ遊技球を導き入れることができるようになっている。一方、大型遊技部材１１の窓部２３の下側には、遊技球を転動させるためのステージ２２が形成されており、そのステージ２２の中央の下側には、始動入賞口１５が設けられている。さらに、始動入賞口１５の下側には、横長な長方形の板状の扉体を片開き（下端縁を軸として片開き）可能な始動入賞役物１８が設けられている。加えて、大型遊技部材１１の右側には、遊技球を通過可能なゲート９が設けられている。また、遊技領域１０には、大型遊技部材１１や大入賞装置１３の他に、各種の入賞装置、電飾ランプ、風車等が設置されているとともに、多数の障害釘（図示せず）等が植設されている。
【００１５】
＜メカニカル演出装置の構成＞
図３〜図６は、メカニカル演出装置３１を示したものであり、メカニカル演出装置３１は、ハウジング２１、上側開閉部材２２、下側開閉部材２３、傾動部材２４、基板部材２５、駆動装置であるモータ２６、駆動歯車部材２７、従動歯車部材２８、作動歯車部材２９、金属シャフト３０、コイルバネ３３，３４等によって構成されている。
【００１６】
上側開閉部材２２は、透明な合成樹脂（アクリル樹脂）によって一体的に形成されており、１／４球面状（直交する２平面で切断した球の表面状）の本体部３７の左右からアーム３８ａ，３８ｂが後方へ突出するように設けられている。また、本体部３７の表面には、凹凸の装飾が施されているとともに、塗装が施されている。さらに、左右のアーム３８ａ，３８ｂには、それぞれ、上側歯車部材３９ａ，３９ｂが螺着されている。
【００１７】
上側歯車部材３９ａ，３９ｂは、硬質の合成樹脂によって、後端が扁平な半円柱状に形成されており、その半円柱状部分の外周に凹凸状の歯４０，４０・・が設けられている。また、それらの歯４０，４０・・からなる歯車と同心円状になるように円柱状のボス４１が外向きに突設されている。加えて、上側歯車部材３９ａ，３９ｂの前側には、それぞれ、略直方体状の螺着部７９ａ，７９ｂが設けられており、各螺着部７９ａ，７９ｂには、アーム３８ａ，３８ｂと螺着するためのネジ孔が穿設されている。そして、２つの上側歯車部材３９ａ，３９ｂのボス４１，４１が、上側開閉部材２２の左右から外側に、一直線状に突出した状態になっている。
【００１８】
また、下側開閉部材２３も、上側開閉部材２２と同様に、透明な合成樹脂（アクリル樹脂）によって一体的に形成されており、１／４球面状の本体部４２の左右からアーム４３ａ，４３ｂが後方へ突出するように設けられている。加えて、上側開閉部材２２と同様に、本体部４２の表面に、凹凸の装飾が施されているとともに、塗装が施されている。さらに、左右のアーム４３ａ，４３ｂには、それぞれ、下側歯車部材４４ａ，４４ｂが螺着されている。
【００１９】
右側の下側歯車部材４４ｂは、上側歯車部材３９ａ，３９ｂと同様に、硬質の合成樹脂によって、後端が扁平な半円柱状に形成されており、その半円柱状部分の外周に凹凸状の歯４６，４６・・が設けられている。そして、それらの歯４６，４６・・からなる歯車と同心円状になるように円柱状のボス４７が外向きに突設されている。加えて、下側歯車部材４４ｂの前側には、略直方体状の螺着部８０ｂが設けられており、アーム４３ｂと螺着するためのネジ孔が穿設されている。加えて、当該螺着部８０ｂの前端際の下方には、コイルバネ３４を係止させるための略Ｕ字状の係止突起８２が設けられている。
【００２０】
一方、左側の下側歯車部材４４ａは、上側歯車部材３９ａ，３９ｂと同様に、硬質の合成樹脂によって、後端が扁平な半円柱状に形成されており、その半円柱状部分の外周に凹凸状の歯４６，４６・・が設けられている。さらに、それらの歯４６，４６・・からなる歯車と同心円状にシャフト挿通孔４８が穿設されている。そして、そのシャフト挿通孔４８と、下側歯車部材４４ｂのボス４７とが、下側開閉部材２３の左右において一直線状に配置された状態になっている。加えて、下側歯車部材４４ａの前側には、略直方体状の螺着部８０ａが設けられており、アーム４３ａと螺着するためのネジ孔が穿設されている。
【００２１】
また、基板部材２５は、硬質の合成樹脂によって一体的に形成されており、略円板状の本体部６１の左右から外側に、円柱状のアーム６３、６３が一直線状に突出した状態になっている。また、それらのアーム６３，６３の上方には、それぞれ、中心にネジ孔６６を穿設した螺着用突起６２，６２が、本体部６１の外方へ突出するように設けられている。さらに、本体部６１の中央下側にも、ネジ孔６６が穿設されている。加えて、本体部６１の前面には、多数のＬＥＤ（発光・・・）６４，６４・・を設置したプリント基板６７が当着されている。加えて、本体部６１の裏面の中央上側には、係止板８４が、板面を鉛直に向けて、本体部６１の裏面と直交するように設けられている。また、当該係止板８４と隣接した側方には、コイルバネを係止させるための係止片６０が突設されている。
【００２２】
一方、傾動部材２４は、不透明な合成樹脂によって、球面状（コンタクトレンズのような形状）に形成されている。そして、内面の上側の左右および下側の中央には、基板とネジ止めするための柱状ボス７４，７４・・が、後方へ突出するように設けられている。また、傾動部材２４の表面には、血走った眼球のような塗装による装飾が施されている。当該傾動部材２４は、柱状ボス７４，７４・・を基板部材２５のネジ孔６６，６６に螺着させることによって、基板部材２５の前面に固着されている。
【００２３】
一方、作動歯車部材２９は、硬質の合成樹脂によって一体的に形成されている。そして、扁平な歯車体４９の内側面にカム板５０が設けられており、カム板５０の一部が歯車体４９より外方へ突出した状態になっている。そして、その突出部分の内面に、円柱状のアーム５１が内向きに突設されており、当該アーム５１の軸心が歯車体４９の軸心と平行に配置された状態になっている。また、歯車体４９の外側面には、円柱状のボス５２が、歯車体４９と同心円状に設けられている。さらに、カム板５０および歯車体４９の内部には、シャフト挿通孔７３が、歯車体４９と同心円状に設けられており、そのシャフト挿通孔７３内に、長尺な金属シャフト３０が挿入されて固着されている。当該金属シャフト３０は、下側開閉部材２３のアーム４３ａに螺着された下側歯車部材４４ａのシャフト挿通孔４８を挿通した状態で、先端際に、合成樹脂製の作動体７１が固着されている（なお、図５においては、下側歯車部材４４ａのシャフト挿通孔４８を挿通していない状態で先端際に作動体７１を固着した金属シャフト３０が示されている）。
【００２４】
作動体７１は、扁平な矩形の板状に形成されており、基端が肉厚になっている。そして、その肉厚な基端部分に、凹状溝７２が刻設されている。当該、作動体７１は、基端部分の凹状溝７２に金属シャフト３０の先端際の部分を挿入させた状態で、金属シャフト３０の先端際の部分に固着（螺着）されている。
【００２５】
一方、ハウジング２１は、透明な合成樹脂（アクリル樹脂）によって一体的に形成されており、平板状の背面板６８の外周がガイド壁６９で覆われた形状を有している。そして、左端縁際の中央（高さ方向の中央）よりやや下側には、モータ収納凹部５６が設けられており、そのモータ収納凹部５６と隣接した上方には、シャフト受け凹部５４が設けられている。さらに、シャフト受け凹部５４の右斜め上方には、ボス受け凹部５９が設けられている。一方、右端縁際の中央（高さ方向の中央）よりやや上方には、ボス受け凹部５３，５５が上下に併設されている。また、背面板６８の中央上側には、窓部３６が穿設されている。そして、窓部３６の下辺の中央よりやや左側には、コイルバネ３３を係止させるための係止片７６が設けられている。さらに、窓部３６の下方には、略矩形の切り欠き２０が設けられており、その切り欠き２０の左右には、背面板６８の板面と平行な前板を底板と前板とで支持した形状の遊嵌凹部５８ａ，５８ｂが設けられている。加えて、背面板６８の右下方には、コイルバネ３４を係止させるための係止片７７が設けられている。
【００２６】
そして、上記したハウジング２１のモータ収納凹部５６内には、駆動装置であるモータ２６が、軸心を内向きの水平に配置させた状態で収納されている。また、上側開閉部材２２および下側開閉部材２３が、上側歯車部材３９ａの歯４０，４０・・を下側歯車部材４４ａの歯４６，４６・・に噛合させ、上側歯車部材３９ｂの歯４０，４０・・を下側歯車部材４４ｂの歯４６，４６・・に噛合させた状態で、上側歯車部材３９ａのボス４１をボス受け凹部５９に挿入させ、上側歯車部材３９ｂのボス４１および下側歯車部材４４ｂのボス４７を、それぞれ、ボス受け凹部５９，５３，５５に挿入させた状態になっている。さらに、下側歯車部材４４ａのシャフト挿通孔４８を挿通した金属シャフト３０を挿入させた作動歯車部材２９のボス５２が、シャフト受け凹部５４に挿入されており、金属シャフト３０が水平に配置された状態になっている。
【００２７】
加えて、下側歯車部材４４ｂの螺着部８０ｂの下面の係止突起８２には、背面板６８の係止片７７に片端を係止させたコイルバネ３４の他端が係止されている。かかるコイルバネ３４によって、下側開閉部材２３は、ボス４７および作動歯車部材２９のボス５２を中心として本体部４２を下向きに回転させるように付勢されている。また、下側開閉部材２３が、上記の如く付勢されることによって、上側歯車部材３９ａ，３９ｂを下側歯車部材４４ａ，４４ｂに噛合させた上側開閉部材２２が、ボス４１，４１を中心として本体部３７を上向きに回転させるように付勢されている。
【００２８】
さらに、上記の如くハウジング２１内に収納された作動歯車部材２９の歯車体４９が、ハウジング２１内に枢着された従動歯車部材２８を介して、モータ２６に固着された駆動歯車部材２７と噛合した状態になっている。
【００２９】
加えて、上記の如く傾動部材２４と一体になった基板部材２５が、上側開閉部材２２および下側開閉部材２３の内側（後方側）において、左右のアーム６３，６３を遊嵌凹部５８ａ，５８ｂに挿入させた状態（遊嵌させた状態）で、アーム６３，６３を軸として回転可能にハウジング２１内に収納されている。また、当該基板部材２５の上端の係止片６０には、背面板６８の係止片７６に片端を係止させたコイルバネ３３の他端が係止されている。そして、基板部材２５は、コイルバネ３３によって、板面が背面板６８と平行になるように（係止壁８４が背面板６８に当接するように）付勢されている。
【００３０】
＜メカニカル演出装置の作動内容＞
上記の如く構成されたメカニカル演出装置３１は、モータ２６に外部電源が供給されて、軸心が時計回りに回転すると、モータ２６の軸心に固着された駆動歯車部材２７の回転力が、従動歯車部材２８を介して金属シャフト３０に伝達され、下側歯車部材４４ａを介して金属シャフト３０と一体になった下側開閉部材２３が、ボス４７および作動歯車部材２９のボス５２を中心として、本体部４２を上向きに押し上げるように回動する。また、かかる下側開閉部材２３の回動に伴って、上側歯車部材３９ａ，３９ｂを下側歯車部材４４ａ，４４ｂと噛合させた上側開閉部材２２が、ボス４１，４１を中心として本体部３７を下向きに押し下げるように回動する。そのため、上側開閉部材２２および下側開閉部材２３は、図２（ａ）や図６（ａ）の如く、傾動部材２４の前方で、コイルバネ３４の付勢力に抗して、傾動部材２４を隠すように、それぞれ、隣接した端縁（上側開閉部材２２の下端縁、下側開閉部材２３の上端縁）を接合させるように閉じた状態となる（瞼が閉じたような状態となる）。
【００３１】
また、モータ２６に逆方向の電源が供給されて、軸心が反時計回りに回転すると、駆動歯車部材２７の回転力が、従動歯車部材２８を介して金属シャフト３０に伝達され、下側開閉部材２３が、ボス４７および作動歯車部材２９のボス５２を中心として、本体部４２を下向きに押し下げるように回動する。また、かかる下側開閉部材２３の回動に伴って、上側開閉部材２２が、ボス４１，４１を中心として本体部３７を上向きに押し上げるように回動する。そのため、上側開閉部材２２および下側開閉部材２３は、図２（ｂ）や図６（ｂ）の如く、傾動部材２４の前方で、傾動部材２４を露出させるように、それぞれ、隣接した端縁（上側開閉部材２２の下端縁、下側開閉部材２３の上端縁）を離反させるように開いた状態となる（瞼が開いたような状態となる）。なお、そのように上側開閉部材２２と下側開閉部材２３とが隣接した端縁を離反させるように開く場合には、モータ２６の回転力にコイルバネ３４の付勢力が加わるため、非常にスピーディに作動する。
【００３２】
さらに、上記の如くモータ２６の軸心が反時計回りに回転する際には、モータ２６の回転角度が所定の角度（約４５°）以上になると、金属シャフト３０の回転に伴って、金属シャフト３０に固着された作動体７１が回転する。そして、そのように作動体７１が回転すると、作動体７１の先端部分が、傾動部材２４と一体になった基板部材２５の裏面に押し当てられ、傾動部材２４および基板部材２５が、コイルバネ３３の付勢力に抗して、アーム６３，６３を中心として、前面を斜め下向きに傾斜させるように回動する（傾動する）。
【００３３】
一方、基板部材２５のプリント基板６７上のＬＥＤ６４，６４・・に電源が供給されると、それらのＬＥＤ６４，６４・・の光が傾動部材２４を透過するため、傾動部材２４が発光する。また、上側開閉部材２２および下側開閉部材２３は透明な樹脂によって形成されているため、上側開閉部材２２と下側開閉部材２３とが閉じた状態においても、ＬＥＤ６４，６４・・の発光の様子を前方から視認可能になっている。
【００３４】
＜遊技機の作動内容＞
上記の如く構成されたパチンコ機１においては、発射ハンドル７の回動操作によって発射装置（図示せず）から遊技球が発射され、発射された遊技球が始動入賞口１５に入賞した場合に、内部に設置された制御装置（図示せず）において大当たり抽選（乱数の選択）が実行され、大当たり抽選の結果、「大当たり」になった場合には、「大当たり状態」が生起する。また、遊技球が始動入賞口１５に入賞する毎に、上記大当たり抽選と同時に、図柄の変動態様の抽選が実行され、制御装置の記憶手段に記憶された複数の変動態様（ノーマル変動態様、ショートリーチ変動態様（たとえば、１５秒間の変動態様）、ロングリーチ変動態様（たとえば、３０秒間の変動態様）、超ロングリーチ変動態様（たとえば、４５秒間の変動態様）等）の中から一つの変動態様が選択され、当該変動態様に基づいて、図柄表示装置１９において所定の時間だけ図柄の変動表示を実行する。そして、当該変動表示の後に「大当たり図柄」あるいは「はずれ図柄」を表示することによって大当たり抽選の結果を表示する。
【００３５】
また、「大当たり状態」においては、大入賞装置１３の扉体が所定回数だけ断続的に開成する。したがって、遊技者は、「大当たり」が発生した場合には、多くの遊技球を大入賞装置１３に設けられた大入賞口に入賞させることによって、多くの賞品球を獲得することができる。
【００３６】
パチンコ機１においては、上記の如く、遊技球が始動入賞口１５に入賞する毎に、図柄の変動態様の抽選を実行するが、所定の変動態様（たとえば、ショートリーチ変動態様）が選択された場合には、所定のタイミングで、メカニカル演出装置３１のＬＥＤ６４，６４・・に電源が投入される。なお、メカニカル演出装置３１は、通常時には、上側開閉部材２２と下側開閉部材２３とが閉じた状態となるようにモータ２６が回転制御される。そして、上記の如く、メカニカル演出装置３１のＬＥＤ６４，６４・・に電源が投入されると、それらのＬＥＤ６４，６４・・ の光が、傾動部材２４、上側開閉部材２２、下側開閉部材２３を透過することによって、閉じた状態の上側開閉部材２２と下側開閉部材２３とが発光する。
【００３７】
また、所定の変動態様（たとえば、ロングリーチ変動態様）が選択された場合には、所定のタイミングで、メカニカル演出装置３１のモータ２６およびＬＥＤ６４，６４・・に電源が投入される。そして、メカニカル演出装置３１のモータ２６に電源が投入されると、上側開閉部材２２および下側開閉部材２３が、図２（ｂ）や図６（ｂ）の如く、傾動部材２４の前方で、傾動部材２４を露出させるように、それぞれ、隣接した端縁（上側開閉部材２２の下端縁、下側開閉部材２３の上端縁）を離反させるように素早く開成する（瞼が開いたような状態となる）。加えて、ＬＥＤ６４，６４・・への電源投入によって、開いた上側開閉部材２２と下側開閉部材２３との隙間から露出した傾動部材２４が発光する。かかる上側開閉部材２２、下側開閉部材２３の開成、傾動部材２４の発光により、開いた瞼の中で目球が光っているかの如き印象を、遊技者に提供することできる。
【００３８】
さらに、所定の変動態様（たとえば、超ロングリーチ変動態様）が選択された場合には、所定のタイミングで、メカニカル演出装置３１のモータ２６およびＬＥＤ６４，６４・・に電源が投入された後に、モータ２６の回転角度が所定の角度（約４５°）以上の範囲内を保った状態で、モータ２６へ投入される電源の方向（正負の方向）が断続的に切り替えられる。そのため、開いた上側開閉部材２２、下側開閉部材２３の隙間から露出した傾動部材２４が発光しながら、傾動・起立を繰り返す。かかる側開閉部材２２、下側開閉部材２３の開成、傾動部材２４の発光、傾動・起立の繰り返しにより、開いた瞼の中で光った目球がぎょろぎょろするかの如き印象を、遊技者に提供することできる。
【００３９】
＜遊技機の効果＞
パチンコ機１は、上記の如く、メカニカル演出装置３１が、互いに上下動することによって開閉する一対の開閉部材（上側開閉部材２２および下側開閉部材２３）と、それらの開閉部材の後方に傾動可能に設けられた傾動部材２４と、一対の開閉部材と傾動部材２４とを駆動可能な駆動装置であるモータ２６とを有するものであり、所定のタイミングで、メカニカル演出装置３１の開閉部材が開成して、通常は視認できない傾動部材２４が露出するとともに、その傾動部材２４が傾動するので、遊技の趣向性が高く、遊技者の遊技に対する意欲を長期間に亘って高く保持することができる。その上、単一の駆動装置であるモータ２６によって、それらの開閉部材と傾動部材２４とが駆動されるため、コンパクトに構築することができるので、メカニカル演出装置３１の設置レイアウトの自由度が大きく、狭いスペースでもメカニカル演出装置３１を設置することができる。
【００４０】
また、パチンコ機１は、上記の如く、メカニカル演出装置３１が、傾動部材２４の後方に発光部材であるＬＥＤ６４，６４・・を設置したものであり、一対の開閉部材（上側開閉部材２２および下側開閉部材２３）が閉じた状態であっても、ＬＥＤ６４，６４・・の光が傾動部材２４および開閉部材を透過して前方へ照射されるので、メカニカル演出装置３１による演出内容が、非常に斬新でバラエティに富んだものとなっている。
【００４１】
＜遊技機の変更例＞
本発明に係る遊技機の構成は、上記実施形態の態様に何ら限定されるものではなく、メカニカル演出装置、機枠、前面枠、遊技盤、供給皿、貯留皿、発射ハンドル、図柄表示装置、始動入賞口、始動入賞役物等の形状、構造、材質等の構成を、本発明の趣旨を逸脱しない範囲で適宜変更することができる。
【００４２】
たとえば、メカニカル演出装置は、上記実施形態の如く、モータによって開閉部材および傾動部材を駆動させるものに限定されず、ソレノイド等の別の駆動装置によって開閉部材および傾動部材を駆動させるものに変更することも可能である。また、メカニカル演出装置は、上記実施形態の如く、全体を“目玉”の形状にモディファイしたものに限定されず、他の形状に変更することも可能である。加えて、開閉部材や傾動部材を所定の状態に付勢するための付勢手段は、上記実施形態の如きコイルバネに限定されず、板バネ等に変更することも可能である。
【００４３】
一方、本発明に係る遊技機は、上記実施形態の如く、ショートリーチ変動態様で閉じた開閉部材内で傾動部材を発光させ、ロングリーチ変動態様で開閉部材を開成し、超ロングリーチ変動態様で開成した開閉部材内で傾動部材の傾動・起立を繰り返させるものに限定されず、発光部材の発光動作、開閉部材の開閉動作、傾動部材の傾動・起立動作等のタイミングを必要に応じて適宜変更することができる。加えて、本発明に係る遊技機は、上記実施形態の如きパチンコ機に限定されず、スロットマシン等の他の遊技機に変更することも可能である。
【符号の説明】
【００４４】
１・・パチンコ機（遊技機）
４・・遊技盤
２２・・上側開閉部材（開閉部材）
２３・・下側開閉部材（開閉部材）
２４・・傾動部材
２６・・モータ（駆動装置）
３１・・メカニカル演出装置
６４・・ＬＥＤ（発光部材）
【図１】
2014036812.tif 000003
【図２】
2014036812.tif 000004
【図３】
2014036812.tif 000005
【図４】
2014036812.tif 000006
【図５】
2014036812.tif 000007
【図６】
2014036812.tif 000008